(57)【特許請求の範囲】
【請求項１】
回線を通じて音声信号の送受信を行うと共に、子機とコードレス通信を行うコードレス通信部と、親機側のリンク条件である子機登録情報を管理する子機登録情報管理部とを有する親機と、親機とコードレス通信を行うコードレス通信部と、子機側のリンク条件である個別子機登録情報を管理する個別子機登録情報管理部とを有する子機とを備えたコードレス電話装置であって、子機を親機に搭載すると親機の子機登録情報管理部は子機に子機登録情報を伝達し、子機は伝達された子機登録情報に自己が未登録であれば、個別子機登録情報管理部が個別子機登録情報を親機側に送信し、個別子機登録情報を受信した親機は子機登録情報管理部が子機登録情報を更新して搭載した子機の登録を行うことを特徴とするコードレス電話装置。
【請求項２】
親機の子機登録情報の初期値を１台目の子機の登録に設定しておくことを特徴とする請求項１記載のコードレス電話装置。
【発明の詳細な説明】
【０００１】
【発明の属する技術分野】
本発明は、親機と子機とをリンクさせてコードレス通信を行うために必要なリンク条件である、親機側のリンク条件の子機登録情報が消滅して子機側とリンク不良を起こした場合に、子機側のリンク条件の個別子機登録情報を利用して親機側の子機登録情報を復旧することができるコードレス電話装置に関するものである。
【０００２】
【従来の技術】
従来より、複数子機対応のコードレス電話装置は、親機側には通常はＥＥＰＲＯＭ等の書き換え可能なＲＯＭを搭載している。そして、この書き換え可能なＲＯＭに複数の子機の子機登録情報を記憶させているために、利用者が意図的に子機登録情報を消去しない限り親機側の子機登録情報が消滅することはない。
【０００３】
一般に、コードレス電話装置は親機と子機とをリンクさせておかないとコードレス通信を行えないが、親機と子機とをリンクさせてコードレス通信を行えるようにするのが、親機側の子機登録情報と子機側の個別子機登録情報である。つまり、親機と子機とがリンクするための親機側のリンク条件が子機登録情報であり、子機側のリンク条件が個別子機登録情報である。前述のように、書き換え可能なＲＯＭに親機側のリンク条件である子機登録情報を記憶させている限り親機側の子機登録情報が消滅することはないので、親機側のリンク条件のトラブルにより子機側との間でリンク不良を起こすことはない。
【０００４】
しかしながら、親機側の製品コストを引き下げるために、親機側に書き換え可能なＲＯＭを搭載せずに、親機の他の部門で使用しているＤＲＡＭ等の揮発性のメモリを借用して子機登録情報を記憶させることもある。このように、揮発性のメモリに子機登録情報を記憶させている場合は、常にメモリに対してメモリ保持電圧以上の電圧を印加しておくことで子機登録情報の記憶を維持させている。
【０００５】
【発明が解決しようとする課題】
しかしながら、以上のような揮発性のメモリに親機側の子機登録情報を記憶させているタイプの従来の複数子機対応のコードレス電話装置では、停電が起こると外部電源からの電力供給が断たれてしまうので、揮発性のメモリであるが故にメモリに記憶している内容が失われることになる。そこで、停電時には親機内のコンデンサからメモリに電圧を印加することで、暫くの間はメモリの記憶内容の保持に務めている。しかし、コンデンサの蓄電量は限られているので、メモリに電圧を印加し続けることで親機内のコンデンサの蓄電量は徐々に低下して行く。このメモリは揮発性であるので、コンデンサからメモリに印加する電圧がメモリ保持電圧以下になるとメモリに記憶している子機登録情報が消滅し、親機側のリンク条件にトラブルが発生してしまう。そうすると、停電復旧後に親機側では、消失した子機登録情報を復旧させるために、使用していた子機全てのデータを入力し直すという煩わしい登録操作を行わなければ子機とのリンクを回復できないという課題を有していた。
【０００６】
本発明は以上の課題を解決し、親機側の子機登録情報が消滅して子機側とリンク不良を起こしても、子機側の個別子機登録情報を利用して親機側の子機登録情報を復旧できるコードレス電話装置を提供することを目的とする。
【０００７】
【課題を解決するための手段】
この課題を解決するために本発明は、回線を通じて音声信号の送受信を行うと共に、子機とコードレス通信を行うコードレス通信部と、親機側のリンク条件である子機登録情報を管理する子機登録情報管理部とを有する親機と、親機とコードレス通信を行うコードレス通信部と、子機側のリンク条件である個別子機登録情報を管理する個別子機登録情報管理部とを有する子機とを備えたコードレス電話装置であって、子機を親機に搭載すると親機の子機登録情報管理部は子機に子機登録情報を伝達し、子機は伝達された子機登録情報に自己が未登録であれば、個別子機登録情報管理部が個別子機登録情報を親機側に送信し、個別子機登録情報を受信した親機は子機登録情報管理部が子機登録情報を更新して搭載した子機の登録を行う構成としたものである。
【０００８】
この発明によれば、親機側の子機登録情報が消滅して子機側とリンク不良を起こしても、子機側の個別子機登録情報を利用して親機側の子機登録情報を復旧できるコードレス電話装置を提供することができる。
【０００９】
【発明の実施の形態】
本発明の請求項１に記載の発明は、回線を通じて音声信号の送受信を行うと共に、子機とコードレス通信を行うコードレス通信部と、親機側のリンク条件である子機登録情報を管理する子機登録情報管理部とを有する親機と、親機とコードレス通信を行うコードレス通信部と、子機側のリンク条件である個別子機登録情報を管理する個別子機登録情報管理部とを有する子機とを備えたコードレス電話装置であって、子機を親機に搭載すると親機の子機登録情報管理部は子機に子機登録情報を伝達し、子機は伝達された子機登録情報に自己が未登録であれば、個別子機登録情報管理部が個別子機登録情報を親機側に送信し、個別子機登録情報を受信した親機は子機登録情報管理部が子機登録情報を更新して搭載した子機の登録を行う構成としたものであり、親機側が記憶していた子機登録情報が停電により消滅して子機側とリンク不良を起こしても、子機が記憶している個別子機登録情報を利用すれば、使用していた子機を親機に載せることで子機から親機へ個別子機登録情報を送信して親機側の子機登録情報の復旧を行い、子機側とのリンクを回復することができる。
【００１０】
そのため、使用していた子機全てのデータを親機側で入力し直すという煩わしい登録操作を省けるので、停電により消失した親機側の子機登録情報の復旧が迅速かつ確実に行えるという作用を有する。
【００１１】
本発明の請求項２に記載の発明は、請求項１記載の発明において、親機の子機登録情報の初期値を１台目の子機の登録に設定しておく構成としたものであり、親機側が記憶していた子機登録情報が停電により消滅して子機側とリンク不良を起こしても、停電が復旧すると自動的に初期値のデータがロードされるので、親機側の子機登録情報は１台目の子機の分が復旧し、子機側とのリンクは１台目の子機のみは使用可能となるように部分的に回復する。
【００１２】
そのため、親機側の子機登録情報の復旧は２台目以降の子機に対して行えば良いので、停電により消失した親機側の子機登録情報の復旧がより迅速に行えるという作用を有するし、１台目の子機しか使用しない場合は、事実上親機側の子機登録情報の復旧操作が不要になるという作用も有する。
【００１３】
以下、本発明の実施の形態について説明する。
（実施の形態１）
本発明の一実施の形態の大要は、親機と子機とがコードレス通信を行うためには、予め親機と子機とがリンクしていなければならないが、停電により親機側の揮発性のメモリに記憶していた親機側のリンク条件である子機登録情報が消滅して子機側とリンク不良を起こしても、簡単な操作で子機登録情報を復旧できるようにするために、子機側のリンク条件である個別子機登録情報を記憶しているものの親機とリンク不良を起こしたために親機と通話ができなくなった子機を親機に搭載すれば、子機側では個別子機登録情報管理部が作動して子機の個別子機登録情報を親機側に送信し、親機側では子機登録情報管理部が作動して搭載した子機の分だけ親機のメモリに子機登録情報を自動的に部分復旧することで、親機に搭載した子機は自動的に親機とリンクを回復するように工夫したことである。
【００１４】
そのため、親機のリンク条件を復旧するために親機を操作してメモリに子機登録情報を再登録するという煩わしい操作は必要はなく、使用する子機を次々に親機に載せ替えるという簡単な操作だけで消失した親機の子機登録情報の全てをメモリに自動的に復旧させることができる。
【００１５】
以下、本発明の一実施の形態の詳細を図１〜図１２を参照しながら説明する。図１は本発明の一実施の形態によるコードレス電話装置の構造を示すブロック図であり、図２は本発明の一実施の形態によるコードレス電話装置の親機における電力供給の推移を示す模式図である。そして、図３は本発明の一実施の形態によるコードレス電話装置の親機における蓄電量を示すグラフであり、図４は本発明の一実施の形態によるコードレス電話装置の子機における電力供給の推移を示す模式図である。図５〜図６は本発明の一実施の形態によるコードレス電話装置の親機が記憶している子機登録情報の内容を示す模式図であり、図７は本発明の一実施の形態によるコードレス電話装置の親機と子機との間の通信を示す説明図である。図８は本発明の一実施の形態によるコードレス電話装置の親機が記憶している子機登録情報の内容を示す模式図であり、図９は本発明の一実施の形態によるコードレス電話装置の親機における子機登録情報のロードを示す模式図である。図１０は本発明の一実施の形態によるコードレス電話装置の親機と子機との間の通信を示す説明図であり、図１１は本発明の一実施の形態によるコードレス電話装置の親機が記憶している子機登録情報の内容を示す模式図である。そして図１２は本発明の一実施の形態によるコードレス電話装置の親機と子機との間の通信を示す説明図である。
【００１６】
まず、コードレス電話装置の一般的な機能を説明する。
図１において、コードレス電話装置は回線に接続された親機１と少なくとも１台の子機２とで構成されており（複数子機対応）、子機登録情報を設定した親機１と個別子機登録情報を設定した子機２とはそれぞれ一定の距離内（１００〜１５０ｍ）で双方向に遠隔通信可能である。
【００１７】
このようなコードレス電話装置は、予め親機１と子機２とをリンクさせておかないとコードレス通信を行えないが、親機１と子機２とをリンクさせてコードレス通信を行えるようにするのが、親機１側の子機登録情報と子機２側の個別子機登録情報である。つまり、親機１と子機２とがリンクするためには、親機１側には親機１側のリンク条件である子機登録情報を、子機２側には子機２側のリンク条件である個別子機登録情報をそれぞれ設定しておく必要があるということである。
【００１８】
親機１は制御部３の制御の下に発呼側と音声信号の送受信を行うと共に、コードレス通信部の無線送信部４及び無線受信部５を通じて子機２側と双方向にコードレス通信を行う。この親機１にはスピーカーホン通話部６が備わっているので、スピーカーホン通話部６のスイッチを押してオフフックすると手放しでの通話を行うことができる。そして、親機１には留守番電話部７も備わっているので、回線からベルが入来しても親機１側や子機２側で共にオフフックしない場合には、留守番電話部７が作動して入来したメッセージの録音ができるようになっている。また、子機２も制御部８の制御の下にコードレス通信部の無線送信部９及び無線受信部１０を通じて親機１側と双方向にコードレス通信を行い、送話部１１と受話部１２でそれぞれ送話と受話を行うことができる。
【００１９】
親機１に回線からのベル着信があると、制御部３は切り替えスイッチ１３を作動させて回線を通話回路部１４側に切り替え、回線からのベル着信を受ける。そして、制御部３はベル着信を知らせるベル着信データを生成して子機２側へ送信し、子機２のベル音発生部１５からベル音を発生させると共に、子機２の表示部１６に回線からのベル着信を表示する。子機２の利用者は通話キーを操作してオフフックすると発呼者と通話することができる。
【００２０】
しかし、利用者の都合が悪くて（居留守を使う場合も含めて）子機２側でオフフックできない場合には、親機１の留守番電話部７が作動する。ベルが所定回数（例えば３回）鳴動する間に子機２側か親機１側かのどちらかでオフフックしない限り、制御部３は切り替えスイッチ１３を通話回路部１４側から留守番電話部７側に切り替える。そして、制御部３は回線を閉結して留守番電話部７を作動させ、回線から入来するメッセージの記録を行う。
【００２１】
次に、停電の発生により、親機１側のメモリに記憶していた親機１側のリンク条件である子機登録情報が消滅したために、子機２とリンク不良を起こした親機１の子機登録情報を復旧させる場合の流れを説明する。
【００２２】
図２に示すように、停電が発生すると破線の矢印で示した親機１への外部電源からの電力供給が断たれる。そのため、親機１が子機登録情報を記憶しているＤＲＡＭ等の揮発性のメモリ１７への電力供給は、実線の矢印で示すように親機１の内部にある電池の代用品としてのコンデンサ１８に蓄えている電荷量に全面的に依存することになる。図３に示すように、例え停電中でも、コンデンサ１８の蓄電量が多い間はメモリ１７に印加する電圧はメモリ保持電圧以上の数値を維持できるが、コンデンサ１８の蓄電量はメモリ１７に印加する電圧のために徐々に低下して行くので、メモリ１７に印加する電圧はいずれメモリ保持電圧を下回ることになる。メモリ１７に印加する電圧がメモリ保持電圧を下回ると、メモリ１７は揮発性であるので記憶している親機１側のリンク条件である子機登録情報の内容が失われ、親機１と子機２とはリンク不良を起こして通話できなくなる。
【００２３】
このコードレス電話装置は複数台の子機が使用可能であるので、これより先は誤解が生じないように子機全体を指し示す場合は子機２と表記するが、複数台の子機各々を指し示す場合は子機２ａ，子機２ｂ，・・と表記する。
【００２４】
親機１側では電池の代用品としてコンデンサ１８を使用しているために、停電が短時間であればメモリ１７に記憶している内容を維持できるが、停電時間が長引くとメモリ１７に記憶している内容が失われるので子機登録情報は消滅する。
【００２５】
しかし、図４に示すように、子機２側の電源は電池１９であるので、子機２が親機１とリンクするために必要な個別子機登録情報を一旦子機２のメモリ２０に登録すると、電池１９の容量が十分ありメモリ保持電圧を維持できる間は、個別子機登録情報は消滅することなくメモリ２０に記憶されたままである。そして、子機２では電池１９の容量が低下して来ると表示部１６に充電警告が表示され、更に電池１９の容量が低下するとメモリ保持電圧を上回っていても子機２は使用停止状態になる。つまり、子機２は使用停止状態に陥ってもメモリ保持電圧を維持できているので、メモリ２０に記憶している個別子機登録情報は消滅せずに無事であり、子機２側のリンク条件は維持されているということである。
【００２６】
子機２の電池１９の容量低下に伴い、表示部１６に充電警告が表示された場合や使用停止状態に陥った場合は、直ちに充電器に子機２を載置して充電を行えば電池１９の容量が回復した段階で使用停止状態や充電警告の表示が解除される。子機２の底面には端子が３つ設けてあるが、左右の２つが電池１９を充電する際に使用する充電端子であり、中央の親機１へ子機２を載置した際に親機１から子機２へ子機登録情報を伝達するコントロール端子である。
【００２７】
さて、上述のように、親機１は停電により子機登録情報を消失し子機２とリンク不良を起こして子機２と通信ができなくなったので、親機１のリンク条件を回復するために親機１の子機登録情報を復旧させなければならない。ここでは、使用している子機２は３台とし、それぞれを子機２ａ，２ｂ，２ｃとする。
【００２８】
親機１と子機２ａ，２ｂ，２ｃの３台がそれぞれリンクしている場合には、親機１のメモリ１７に記憶している子機登録情報は図５に示すようになっており、子機２ａに対応する子機登録情報，子機２ｂに対応する子機登録情報，子機２ｃに対応する子機登録情報の３つの部分が健在である。しかし、停電が発生すると親機１のメモリ１７に記憶していた子機登録情報は図６に示すように空になり、子機２ａ，２ｂ，２ｃのそれぞれに対応していた子機登録情報が消滅した結果、親機１と子機２ａ，２ｂ，２ｃとはリンク不良を起こしてコードレス通信ができなくなる。そこで、これから先は如何なる方法をもって消滅した子機登録情報を復旧させるかということを説明して行く。
【００２９】
まず、子機２ａの個別子機登録情報を利用して親機１側の子機登録情報を部分復旧させることにする。部分復旧という意味は、子機２ａのみが親機１とリンクを回復するということであり、子機２ｂ，２ｃはリンク未了のままである。
【００３０】
親機１の子機登録情報を復旧させるために、まず子機２ａを親機１に載置する。すると、親機１の制御部３は子機登録情報管理部２１（図１参照）を作動させ、図７に示すように、載置された子機２ａに現在の自己（親機１）のメモリ１７の子機登録情報（実は図６に示すように空である）を伝達する。コントロール端子を経由して親機１から子機登録情報を伝達された子機２ａ側では、制御部８が個別子機登録情報管理部２２（図１参照）を作動させ、子機登録情報の中に自己（子機２ａ）の個別子機登録情報が存在するか否かを調べる。
【００３１】
子機登録情報の中に子機２ａの個別登録情報の存在を確認すれば、子機２ａは自己の個別子機登録情報を親機１に無線通信により送信することはない。しかし、この場合は停電により親機１の子機登録情報は消滅して空になっているので、当然ながら子機登録情報の中に子機２ａの個別子機登録情報は存在しない。
【００３２】
そこで、子機２ａは親機１から伝達された子機登録情報の中に自己の個別子機登録情報が存在しないことを認識すると、制御部８は個別子機登録情報管理部２２を制御して、図７に示すように、自己のメモリ２０に記憶している個別子機登録情報を親機１に無線通信で送信する。これは、親機１側の子機登録情報に自己が登録されていないので、子機２ａ側が親機１側に対して自己の登録要求を行っているのである。親機１は子機２ａの個別子機登録情報を受信すると、制御部３は子機登録情報管理部２１を制御してメモリ１７に子機２ａの個別子機登録情報を書き込む。図８に示すように、これで子機２ａのみは親機１とリンクを回復した。
【００３３】
ところで、子機登録情報を更新すると、親機１は更新した子機登録情報を再び子機２ａに伝達するが、伝達された子機２ａ側では子機登録情報の中に自己の個別子機登録情報が存在するので、子機２ａは自己の個別子機登録情報を無線により親機１に送信することはない。
【００３４】
ここで、「請求項２」について触れておくと、コードレス電話装置である以上は少なくとも１台は子機２を使用するので、図９に示すように、子機２ａが記憶している個別子機登録情報を予め親機１のＲＯＭ２３に記録しておき、停電で親機１のメモリ１７の記憶内容が消滅した際には、メモリ１７にＲＯＭ２３からデータをロードして子機２ａのみは自動的に親機１とリンクするようにしておくということである。こうしておけば、利用者が子機２を１台目しか使用しない場合に限っては、親機１と子機２とのリンクを回復させる操作は別段必要としないことになる。
【００３５】
次に、親機１と子機２との部分復旧を更に進めるために、リンクを回復させた子機２ａの代わりにリンク未了の子機２ｂを親機１に載置する。すると、親機１の制御部３は子機登録情報管理部２１を作動させ、図１０に示すように、載置された子機２ｂに現在の自己（親機１）のメモリ１７の子機登録情報を伝達する。コントロール端子を経由して親機１から子機登録情報を伝達された子機２ｂ側では、制御部８が個別子機登録情報管理部２２を作動させ、子機登録情報の中に自己（子機２ｂ）の個別子機登録情報が存在するか否かを調べる。
【００３６】
図８に示すように、子機登録情報の中にはリンクを回復した子機２ａの個別登録情報は存在するが、当然ながらリンク未了の子機２ｂの個別子機登録情報は存在しない。
【００３７】
そこで、子機２ｂは親機１から伝達された子機登録情報の中に自己の個別子機登録情報が存在しないことを認識すると、制御部８は個別子機登録情報管理部２２を制御して、図１０に示すように、自己のメモリ２０に記憶している個別子機登録情報を親機１に無線通信で送信する。これは、親機１側の子機登録情報に自己が登録されていないので、子機２ｂ側が親機１側に対して自己の登録要求を行っているのである。親機１は子機２ｂの個別子機登録情報を受信すると、制御部３は子機登録情報管理部２１を制御してメモリ１７に子機２ｂの個別子機登録情報を書き込む。図１１に示すように、これで子機２ａ及び子機２ｂは親機１とリンクを回復した。
【００３８】
親機１側では、子機登録情報を更新すると親機１は更新した子機登録情報を再び子機２ｂに伝達するが、伝達された子機２ｂ側では子機登録情報の中に自己の個別子機登録情報が存在するので、子機２ｂは自己の個別子機登録情報を無線により親機１に送信することはない。
【００３９】
同様にして、親機１と子機２との部分復旧を更に進めるために、リンクを回復させた子機２ｂの代わりにリンク未了の子機２ｃを親機１に載置する。すると、親機１の制御部３は子機登録情報管理部２１を作動させ、図１２に示すように、載置された子機２ｃに現在の自己（親機１）の子機登録情報を伝達する。コントロール端子を経由して親機１から子機登録情報を伝達された子機２ｃ側では、制御部８が個別子機登録情報管理部２２を作動させ、子機登録情報の中に自己（子機２ｃ）の個別子機登録情報が存在するか否かを調べる。
【００４０】
図１１に示すように、子機登録情報の中にはリンクを回復した子機２ａ、２ｂの個別登録情報は存在するが、当然ながらリンク未了の子機２ｃの個別子機登録情報は存在しない。
【００４１】
そこで、子機２ｃは親機１から伝達された子機登録情報の中に自己の個別子機登録情報が存在しないことを認識すると、制御部８は個別子機登録情報管理部２２を制御して、図１２に示すように、自己のメモリ２０に記憶している個別子機登録情報を親機１に無線通信で送信する。これは、親機１側の子機登録情報に自己が登録されていないので、子機２ｃ側が親機１側に対して自己の登録要求を行っているのである。親機１は子機２ｃの個別子機登録情報を受信すると、制御部３は子機登録情報管理部２１を制御してメモリ１７に子機２ｃの個別子機登録情報を書き込む。図５に示すように、これで子機２ａ，２ｂ，２ｃは全て親機１とリンクを回復した。
【００４２】
親機１側では、子機登録情報を更新すると親機１は更新した子機登録情報を再び子機２ｃに伝達するが、伝達された子機２ｃ側では子機登録情報の中に自己の個別子機登録情報が存在するので、子機２ｃは自己の個別子機登録情報を無線により親機１に送信することはない。
【００４３】
以上のように、本発明においては停電により親機１が子機登録情報を消失した場合には、子機２が記憶している個別子機登録情報を利用して親機１の子機登録情報の復旧を行う構成としている。親機１に子機２を次々と載置するという簡単な操作で親機１の子機登録情報を復旧させるという本発明のこの特徴は、停電復旧後の親機の子機登録情報の復旧だけに利用するのではなく、製品購入後に最初に使用する時にも応用できるものである。
【００４４】
即ち、従来のものは購入直後の親機１と子機２とをリンクさせるためには、親機１及び子機２ともども子機登録情報や個別子機登録情報を登録する必要があった。しかし、本発明においては購入直後の親機１と子機２とをリンクさせるためには、子機２側のみに個別子機登録情報を登録しておけば良く、親機１には従来例のように子機登録情報を登録しておく必要はない。つまり、購入直後の親機１のメモリ１７には何も記憶されていないが、これは停電時の親機１のメモリ１７の内容と同じということであるので、停電復旧後に親機１の子機登録情報を復旧する手続きと全く同じということである。
【００４５】
ただし、従来のものは子機２を親機１に搭載しなくても親機１と子機２との間でリンクさせることができたが、本発明は子機２を親機１に搭載させた場合のみ親機１と子機２との間でリンクさせることができるという違いがある。
【００４６】
なお、以上の説明においては１回線対応のコードレス電話装置についてのみ触れた。しかし、本発明は複数回線対応のコードレス電話装置にも適用できるものである。
【００４７】
【発明の効果】
以上のように本発明によれば、回線を通じて音声信号の送受信を行うと共に、子機とコードレス通信を行うコードレス通信部と、親機側のリンク条件である子機登録情報を管理する子機登録情報管理部とを有する親機と、親機とコードレス通信を行うコードレス通信部と、子機側のリンク条件である個別子機登録情報を管理する個別子機登録情報管理部とを有する子機とを備えたコードレス電話装置であって、子機を親機に搭載すると親機の子機登録情報管理部は子機に子機登録情報を伝達し、子機は伝達された子機登録情報に自己が未登録であれば、個別子機登録情報管理部が個別子機登録情報を親機側に送信し、個別子機登録情報を受信した親機は子機登録情報管理部が子機登録情報を更新して搭載した子機の登録を行う構成としたことにより、親機側が記憶していた子機登録情報が停電により消滅して子機側とリンク不良を起こしても、子機が記憶している個別子機登録情報を利用すれば、使用していた子機を次々と親機に載せ替えるという簡単な操作で、親機の子機登録情報が復旧して親機と子機とがリンクするので再び親機・子機間でコードレス通信が可能となる。
【図面の簡単な説明】
【図１】本発明の一実施の形態によるコードレス電話装置の構造を示すブロック図
【図２】本発明の一実施の形態によるコードレス電話装置の親機における電力供給の推移を示す模式図
【図３】本発明の一実施の形態によるコードレス電話装置の親機における蓄電量を示すグラフ
【図４】本発明の一実施の形態によるコードレス電話装置の子機における電力供給の推移を示す模式図
【図５】本発明の一実施の形態によるコードレス電話装置の親機が記憶している子機登録情報の内容を示す模式図
【図６】本発明の一実施の形態によるコードレス電話装置の親機が記憶している子機登録情報の内容を示す模式図
【図７】本発明の一実施の形態によるコードレス電話装置の親機と子機との間の通信を示す説明図
【図８】本発明の一実施の形態によるコードレス電話装置の親機が記憶している子機登録情報の内容を示す模式図
【図９】本発明の一実施の形態によるコードレス電話装置の親機における子機登録情報のロードを示す模式図
【図１０】本発明の一実施の形態によるコードレス電話装置の親機と子機との間の通信を示す説明図
【図１１】本発明の一実施の形態によるコードレス電話装置の親機が記憶している子機登録情報の内容を示す模式図
【図１２】本発明の一実施の形態によるコードレス電話装置の親機と子機との間の通信を示す説明図
【符号の説明】
１  親機
２  子機
３  制御部
４  無線送信部
５  無線受信部
６  スピーカーホン通話部
７  留守番電話部
８  制御部
９  無線送信部
１０  無線受信部
１１  送話部
１２  受話部
１３  切り替えスイッチ
１４  通話回路部
１５  ベル音発生部
１６  表示部
１７  メモリ
１８  コンデンサ
１９  電池
２０  メモリ
２１  子機登録情報管理部
２２  個別子機登録情報管理部
２３  ＲＯＭ
【図１】
0003620308.tif 000002
【図２】
0003620308.tif 000003
【図３】
0003620308.tif 000004
【図４】
0003620308.tif 000005
【図５】
0003620308.tif 000006
【図６】
0003620308.tif 000007
【図７】
0003620308.tif 000008
【図８】
0003620308.tif 000009
【図９】
0003620308.tif 000010
【図１０】
0003620308.tif 000011
【図１１】
0003620308.tif 000012
【図１２】
0003620308.tif 000013